(57)【特許請求の範囲】
【請求項１】
遊技機を制御するための制御基板１１を収納して固定するベース体２０と、このベース体２０の開口面側に合わせた覆蓋状態で組付けられて前記制御基板１１を覆う蓋体３０とを備えた収納ボックス１０と、この収納ボックス１０に装備されて前記ベース体２０と蓋体３０との組付け状態を封印する封印手段４０とを備えた制御ボックス装置であって、
前記収納ボックス１０のベース体２０には、外周囲の側壁２２の所定部位に、差込孔７１を貫通してその孔内面に爪状の係止部７２を形成した複数個の封止部７０が適宜間隔で形成されて個々の連結部７３を介して外向き突出状態に配置されている一方、
前記収納ボックス１０の蓋体３０には、前記ベース体２０の封止部７０に隣接する蓋板部３１の外側所定部位に前記封印手段４０の封印部材４１を収容保持する空間状の収納室６１が形成され、かつ該封印部材４１を所定の長さ分まで引出し可能とした複数個の引出用開口部６５を形成した透明なケース板６０が固定されており、
前記封印手段４０は、前記ベース体２０と蓋体３０を封印保持する前記封印部材４１を有し、この封印部材４１は、固定孔５５を形成した固定部５０の端縁から複数本の連結部５２が適宜間隔で形成されて水平延出状態に配置されるとともに、各連結部５２の先端に切取り容易な脆弱部５３で分離可能に連結された複数本のベルト部４２が適宜間隔で形成されて水平延出状態に配置され、このベルト部４２の一端には幅方向に張り出す係合部４４を有する根元部４３が形成されており、
前記封印部材４１は、前記蓋体３０のケース板６０の収納室６１内に位置決め固定状態で収納されて複数本のベルト部４２の先端部分が前記各引出用開口部６５から外側に延出された状態で保持され、
前記収納ボックス１０のベース体２０と蓋体３０の封印の際には、前記封印部材４１の所定位置の前記ベルト部４２を前記連結部５２の脆弱部５３から分断して外側に引出し、該ベルト部４２の先端部を前記ベース体２０の所定位置の封止部７０の差込孔７１内に挿通して該先端部に形成された係止歯４６を封止部７０の係止部７２に、前記ベルト部４２の一部が外部に露出した状態で係止して結合するとともに前記係合部４４が引出用開口部６５に係合することで封印部材４１の引き出しが制限されるようにしたことを特徴とする遊技機の制御ボックス装置。
【発明の詳細な説明】
【０００１】
【発明の属する技術分野】
この発明はパチンコ機やスロットマシンのような遊技機を制御するための制御基板が収納された遊技機の制御ボックス装置に関する。
【０００２】
【従来の技術】
パチンコ機やスロットマシンのような遊技機では、遊技機を制御するための制御基板に搭載のＲＯＭ等の半導体装置が、不正改造ＲＯＭ等の半導体装置に交換されないように防止するため、従来より制御基板を収納した制御ボックス装置に対し様々な工夫が施されている。
このような遊技機の制御ボックス装置には、例えば、図１３と図１４に示すように構成された構造のものがある。
すなわち、これにおいては、制御基板１１１が装着されるベース体１２０と、そのベース体１２０を覆う蓋体１３０とを備えている。
ベース体１２０と蓋体１３０との間には同ベース体１２０に対し蓋体１３０を閉じ状態で封印する封印手段１４０が配設されている。
【０００３】
前記封印手段１４０は、ベース体１２０の一側面から突出された所要数の封印用ボス部１４１と、蓋体１３０の一側面から突出された所要数の封印用締着部１４３と、封印ネジ１４２とを備えている。この封印ネジ１４２は、ワンウエイネジとも呼ばれ、一方向（締付方向）に回転されることで締め付けられ、反対方向への回転は困難で取り外しができない構造となっているものが知られている。
そして、封印ネジ１４２が封印用締着部１４３の貫通孔を通して封印用ボス部１４１にネジ込まれることで、ベース体１２０に対し蓋体１３０が閉じ状態に封印されるようになっている。
【０００４】
【発明が解決しようとする課題】
ところで、図１３と図１４に示すような従来の遊技機の制御ボックス装置においては、ベース体１２０に対し蓋体１３０を閉じ状態に封印する際、封印ネジ１４２を封印用締着部１４３の貫通孔を通して封印用ボス部１４１にネジ込んで締め付けなければならず、その作業が厄介で多くの手間を必要としていた。
さらに、封印用ボス部１４１や封印用締着部１４３が他の部品と干渉することがないように遊技機の所定位置に収納ボックス１１０を設置するためのスペースを確保することが困難となる場合がある。
また、ワンウエイネジとも呼ばれる封印ネジ１４２は、その製作が厄介で高価であるため、封印ネジ１４２を用いる封印手段１４０を採用すると、コスト高となる問題点もあった。
【０００５】
この発明の目的は、前記問題点に鑑み、ベース体に対し蓋体を容易に封印することができる遊技機の制御ボックス装置を提供することである。
【０００６】
【課題を解決するための手段】
前記目的を達成するために、第１の発明に係る遊技機の制御ボックス装置は、請求項１に記載のとおりの構成を要旨とする。
したがって、ベース体に対し蓋体を封印する際、ベース体と蓋体との両部材うち、一方の部材に封印部材の根元部を係合させ、同封印部材の先端部を他方の部材の封止部に差し込むという、極めて簡単な操作によって、ベース体に対し蓋体を封印することができる。
【０００７】
また、ベース体に対し蓋体を封印する際、ベース体又は蓋体側の収納部から可撓性を有する帯状の封印部材を所要とする長さだけ引き出すとともに、その封印部材を撓ませながらベース体と蓋体にわたって挿通する。その後、封印部材の先端部を、ベース体又は蓋体の封止部に差し込むという、極めて簡単な操作によって、ベース体に対し蓋体を封印することができる。また、可撓性を有する帯状の封印部材を使用しないときには、その封印部材が収納部に収納されて保護されるとともに、ベース体又は蓋体から突出して妨害物となる不具合が生じない。
【０００８】
また、封印部材が収納部の引出用開口部から引き出し端位置まで引き出され、その封印部材の根元部の係合部が引出用開口部に係合して、これ以上の引き出しが規制される。この状態において、封印部材を撓ませながらその先端部を封止部に係合させることによって、封印部材に緩みがない状態でベース体と蓋体とを容易にかつ確実に封印することができる。
【０００９】
更に、封印に必要な封印部材のみを収納室から引き出して容易に使用することができるとともに、その他の封印部材を収納室内に収納して保護することができる。このため、封印部材が収納ボックスの外側に長く突出して他の部品と干渉したり、見栄えを悪化させるという不具合を防止することができるとともに、封印部材の紛失防止を図ることができる。
【００１０】
【発明の実施の形態】
（実施の形態１）
この発明の実施の形態１を図１〜図７にしたがって説明する。
遊技機の制御ボックス装置を正面から表した図１、図１のＩＩ−ＩＩ線に基づく断面で表した図２において、パチンコ機やスロットマシン等の遊技機の所要位置に装着される遊技機の制御ボックス装置の収納ボックス１０は、ベース体２０と、そのベース体２０を覆う蓋体３０とを備えている。
この実施の形態１において、ベース体２０及び蓋体３０は、無色透明または有色透明な合成樹脂材料よりなり、これによって遊技機の制御ボックス装置の収納ボックス１０の内部全体が透視可能となっている。また、ベース体２０及び蓋体３０は、射出成形によってそれぞれ個別に一体成形されている。
ベース体２０は、略四角形状の底板部２１と、その底板部２１の周縁部に突設された側壁２２とを備え、かつ制御基板１１を収納する一側が開口された収納室を有する箱形状に形成されている。
【００１１】
ベース体２０の底板部２１の周縁部近傍には、制御基板１１に対する所要数の締付用ボス部２３が突設されている。そして、ベース体２０の所要数の締付用ボス部２３に跨って制御基板１１が設置され、その制御基板１１を通してビス２４が所要数の締付用ボス部２３にねじ込まれることで、ベース体２０に制御基板１１が固定されるようになっている。
なお、制御基板１１の一側面には、パチンコ機、スロットマシン等の遊技機を制御する制御回路を構成するための図示しないＲＯＭ、ＲＡＭ、ＩＣ、トランジスタ等の制御回路構成部品や各種コネクタ類が装着されている。
【００１２】
ベース体２０を覆う蓋体３０は、ベース体２０に対応する形状に形成され略四角形状の蓋板部３１とその周縁部に突設された側壁２２とを備えている。
また、この実施の形態１において、ベース体２０の一側縁に対し、係脱可能な掛止フックと係合凹部とを備えた開閉機構３３を支点として蓋体３０が開閉可能に組み付けられている。
図１に示すように、ベース体２０と蓋体３０との間には、その開閉機構３３から遠ざかる自由端寄り部分、この実施の形態１では、図１に向かって、左側上部と右側上部の２ヶ所においてベース体２０に対し蓋体３０を閉じ状態で封印する封印手段４０がそれぞれ配設されている。
【００１３】
封印手段４０は、扁平状の封印部材４１と、その封印部材４１の差し込みは許容し、引き抜きは阻止する封止部７０とを備えている。
図２に示すように、封印部材４１は蓋体３０側に設けられた収納室６１に引出可能に収納され、封止部７０は、ベース体２０の側壁２２の外側面に一体に形成されている。
図２と図４に示すように、蓋体３０の蓋板部３１の一部には、収納室６１を構成するためのケース体６０がインサート成形によって装着されている。
【００１４】
さらに、図６と図７に示すように、前記ケース体６０は、方形の平板に形成されかつ蓋板部３１と略同一面をなして蓋板部３１の一部をなすケース本体６２と、そのケース本体６２の表面に溶着、接着、ビス着等によって一体状に固定されたカバー体６３とを備えている。
そして、ケース本体６２とカバー体６３との間には、封印部材４１を引き出し可能に収納する引出用開口部６５を有する収納室６１が形成されている。
また、この実施の形態１において、収納室６１には複数個の封印部材４１が略平行して引き出し可能に収納できる室内幅をもって形成され、カバー体６３の一側には複数個の封印部材４１を個別に引き出し可能な引出用開口部６５がそれぞれ形成されている。
【００１５】
図５〜図７に示すように、前記収納室６１に引き出し可能に収納される複数個の封印部材４１は可撓性及び強靱性を有する合成樹脂よりなり、扁平帯状（ベルト状）に形成されたベルト部４２と、そのベルト部４２の一端に形成されかつ幅方向に張り出す係合部４４を有する根元部４３とを一体に備えて略Ｔ字状に形成されている。さらに、ベルト部４２の一側面には断面略鋸歯状をなす複数の係止歯４６が形成されている（図３参照）。
そして、封印部材４１は、蓋体３０に形成された収納室６１に引き出し可能に収納されるとともに、図２に示すように、収納室６１の引出用開口部６５から引出端位置まで引き出されたときには、その根元部４３の係合部４４が収納室６１の引出用開口部６５に係合してこれ以上の引き出しが制限されるようになっている。
【００１６】
また、図５〜図７に示すように、複数個の封印部材４１は、収納室６１の奥側寄りに固定された１つの固定部５０の一側から所定の間隔を隔てかつ連結部５２を介してそれぞれ切り離し可能に延出されている。そして、各封印部材４１の先端部は収納室６１の引出用開口部６５から所要とする長さだけそれぞれ露出しており、これら封印部材４１の先端部は、ベース体２０の各封止部７０にそれぞれ臨んでいる。
なお、図６と図７に示すように、前記複数個の封印部材４１の固定部５０は、収納室６１の幅方向に長い板状に形成され、固定部５０の所定位置に貫設された固定孔５５と、カバー体６３の内面に突出れた固定ピン６６によって収納室６１の奥側寄りに固定されている。
【００１７】
図５に示すように、前記各封印部材４１は、そのベルト部４２の先端部を所定値以上の引張力で引張することで、連結部５２の先端部から切り離されるように、連結部５２の先端部と封印部材４１の根元部４３の結合部には切り離し用の脆弱部５３が形成されている。
また、図５に示すように、各封印部材４１の根元部４３の表面には、封印順位を示す「１、２、３、４」の封印番号が付されている。なお、封印番号は、印刷、刻み込み、樹脂成形金型によって付けることができる。また封印番号は、算用数字の他、ローマ数字、アルファベット、記号等でも代用することが可能である。
【００１８】
図２〜図４に示すように、前記ベース体２０の側壁２２の外側面には、前記複数個の封印部材４１の先端部に臨んで複数の封止部７０がそれぞれ一体に形成されている。
前記複数の封止部７０は、これに対応する封印部材４１が差し込み可能な差込孔７１を有してバックル状に形成されている。これら複数の封止部７０の差込孔７１の一側内壁面には、封印部材４１のベルト部４２の先端部の差し込みは許容し、引き抜きは阻止するように、ベルト部４２の係止歯４６に係合する爪状の係止部７２が形成されている。
【００１９】
この実施の形態１に係る遊技機の遊技機の制御ボックス装置は上述したように構成される。
したがって、図１と図２に示すように、遊技機の制御ボックス装置の組み立て完了時には、蓋体３０の２箇所に設けられた封印手段４０の各複数個の封印部材４１のうち、封印番号「１」が付された封印部材４１がその先端部において所定値以上の引張力において引張される。すると、封印部材４１は、連結部５２の脆弱部５３において切り離され、そのベルト部４２が収納室６１の引出用開口部６５から引き出される。封印部材４１のベルト部４２が引き出し端位置まで引き出されると、その根元部４３の係合部４４が引出用開口部６５に係合し、これ以上の引き出しが規制される。
【００２０】
ここで、ベルト部４２を撓せながら、そのベルト部４２の先端部が封止部７０の差込孔７１の一側開口部からその差込孔７１に差し込まれる。これによって、差込孔７１の他側開口部からベルト部４２の先端部が突出する。ベルト部４２に緩みがない状態までそのベルト部４２の先端部を差込孔７１の他側開口部から引き出したところで、そのベルト部４２の係止歯４６と封止部７０の係止部７２とを係合させる。これによって、ベース体２０と蓋体３０とが閉じ状態で封印される。
なお、収納室６１内に残された封印番号「２、３、４」の封印部材４１は予備であって、前記封印の際には使用されない。
前記したようにして封印部材４１によってベース体２０に対し蓋体３０が封印され、蓋体３０の不測の開放が防止されるため、収納ボックス１０に収納された制御基板１１の不正改造を防止することができる。
【００２１】
また、当局の立ち入り検査等の場合において、蓋体３０を正当な理由の下に外したい場合には、前記封印に用いた封印番号「１」の封印部材４１を、はさみ、ニッパ、カッタ等を用いて切断することにより、蓋体３０を簡単に取り外すことができる。また、図３に示すように、封止部７０の根元部分に形成された薄肉状の連結部７３が切断されることによっても、蓋体３０を簡単に取り外すことができる。
また、封印番号「２」が付された封印部材４１を前記同様に操作し、その封印部材４１のベルト部４２を封止部７０に係合させることによって、ベース体２０に対し蓋体３０を封印することができる。これによって、制御ボックス装置を再使用することができる。上記の繰り返しにより、封印番号「３」、「４」の封印部材４１を順に用いて封印をやり直すことができる。従って、この実施の形態１の遊技機の制御ボックス装置の場合、４回分の封印を行うことができる。
【００２２】
前記したように、この実施の形態１の封印部材４１は、扁平帯状に形成されているため、その封印部材４１に対する差込孔７１を有する封止部７０は、従来の封印用ボス部と封印用締着部とを封印ネジによって封印する構造と比べ、ベース体２０の側壁２２の外側面からの封止部７０の突出量を小さくすることが可能となり、その分だけ収納ボックス１０の大型化を抑制することができ、収納ボックス１０の配置スペースの確保が容易となる。
また、この実施の形態１において、複数個の封印部材４１は、収納室６１の奥側寄りに固定されかつ収納室６１の幅方向に長い１つの固定部５０の一側から連結部５２を介して切り離し可能に延出されている。
このため、封印に必要な封印部材４１のみを収納室６１から引き出して容易に使用することができるとともに、その他の封印部材４１を収納室６１内に収納して保護することができる。このため、封印部材４１が収納ボックス１０の外側に長く突出して他の部品と干渉したり、見栄えを悪化させるという不具合を防止することができるとともに、封印部材４１の紛失防止を図ることができる。
【００２３】
なお、前記実施の形態１では、蓋体３０を射出成形によって形成する際、その蓋板部３１に対し、封印部材４１のケース体６０（ケース本体６２）がインサートされる場合を例示したが、これに限定するものではない。例えば、蓋体３０を成形した後、その蓋体３０の蓋板部３１の外面又は内面にカバー体６３を溶着、接着、ビス着等によって固定して蓋板部３１とカバー体６３との間に収納室６１を構成することもできる。さらに、蓋体３０を成形すると同時に、その蓋体３０の蓋板部３１に対し封印部材４１を引き出し可能に収納するための収納部を形成することも可能である。
また、前記実施の形態１では、蓋体３０側に封印部材４１が引き出し可能に収納される収納室６１が形成され、ベース体２０側に封止部７０が形成される場合を例示したが、これとは逆に、ベース体２０側に封印部材４１が引き出し可能に収納される収納室６１が形成され、蓋体３０側に封止部７０が形成されてもよい。
また、前記実施の形態１では、ベース体２０と蓋体３０との間において、図１に向かって、左側上部と右側上部の２箇所に封印部材４１と封止部７０とを備えた封印手段４０がそれぞれ配設されている場合を例示したが、３箇所以上に配設してもよく、１箇所のみに配設してもよい。
【００２４】
また、前記実施の形態１では、蓋体３０側に封印部材４１が引き出し可能に収納される収納室６１が形成され、ベース体２０側に封止部７０が形成される場合を例示したが、図８と図９に示すように、蓋体３０側に封印部材４１が引き出し可能に収納される収納室６１と、封印部材４１に対する封止部７０とをそれぞれ形成し、ベース体２０側に封印部材４１のベルト部４２が挿通される挿通孔７６を有する係合部７５を形成してもよい。
この場合、蓋体３０側の収納室６１から引き出された封印部材４１のベルト部４２が、まず、ベース体２０側の係合部７５の挿通孔７６に差し込まれる。その後、封印部材４１のベルト部４２が蓋体３０側の封止部７０に向けて折り返し状に屈曲される。そして、ベルト部４２の先端部が封止部７０の差込孔７１の一側開口部からその差込孔７１に差し込まれ、ベルト部４２の係止歯４６と封止部７０の係止部７２とが係合し、これによって封印作業が完了する。このようにして、極めて簡単な操作によって、ベース体２０と蓋体３０とを閉じ状態に封印することができる。
【００２５】
（実施の形態２）
次に、この発明の実施の形態２を図１０〜図１２にしたがって説明する。
この実施の形態２においては、封印手段４０を構成する封印部材８１が扁平で短尺に形成されている。この封印部材８１は、金属又は強靱性を有する合成樹脂材料より短冊状に形成されている。封印部材８１の本体部分８２一端の根元部８３には幅方向に張り出す係合部８４が形成され、本体部分８２の先端部には傾斜状の案内面８７と係止面８６とを備えて楔状をなす差込部８５が形成されている。
【００２６】
一方、蓋体３０の側壁３２の外側面の所定位置には、単数又は複数の係止部９０が一体に突設されている。この係止部９０には、封印部材８１の差込部８５を含む本体部分８２は挿通自在でかつ係合部８４は挿通不能な大きさの角穴状の挿入孔９１が貫設されている。
また、ベース体２０の側壁２２の外側面には、前記係止部９０に対応する位置において封止部７０が一体に形成されている。
この封止部７０は、実施の形態１と略同様に構成され、封印部材８１の差込部８５が差し込み可能な差込孔７１を有している。さらに、封止部７０の差込孔７１の一側内壁面には、封印部材８１の先端部の差込部８５の差し込みは許容し、引き抜きは係止面８６に係合して阻止する爪状の係止部７２が形成されている。
また、この実施の形態２において、図１０と図１１に示すように、封止部７０と係止部９０との根元部分には薄肉状の連結部７３、９３が切断可能に形成されている。そして、連結部７３、９３が切除されることで、ベース体２０と蓋体３０との封印が開封可能となっている。
【００２７】
また、封印部材８１の根元部８３の幅方向に張り出す係合部８４を切断可能に形成し、その係合部８４を切除することで、封印部材８１を取り外し可能とし、これによってベース体２０と蓋体３０との封印を開封可能に構成することも可能である。
さらに、ベース体２０と蓋体３０との間に対する封印部材８１の存在が容易に判別できるように、例えば、蓋体３０と封印部材８１とを異なる色にそれぞれ形成することが望ましい。この場合、封印部材８１の存在の有無が明確となり、不正防止に効果が大きい。また、封印部材８１の根元部８３の幅方向に張り出す係合部８４の部分のみを蓋体３０と異なる色に形成することによっても、封印部材８１の存在の有無が明確となり、不正防止に効果がある。
【００２８】
この実施の形態２において、封印部材８１が係止部９０の挿入孔９１を通して封止部７０の差込孔７１に差し込まれる。
図１０と図１１に示すように、封印部材８１の係合部８４が係止部９０に係合してこれ以上の差し込みが規制される差し込み端位置まで差し込まれると、封印部材８１の差込部８５が封止部７０の差込孔７１の係止部７２を越え、その差込部８５の係止面８６が係止部７２に係合する。
これによって封印部材８１の引き抜きが阻止され、その封印部材８１によってベース体２０に対し蓋体３０が封印される。
【００２９】
このようにして、この実施の形態２においては、封印部材８１を係止部９０の挿入孔９１を通して封止部７０の差込孔７１に差し込むという極めて簡単な操作によってベース体２０に対し蓋体３０を容易にかつ確実に封印することができる。
また、この実施の形態２の封印部材８１は、扁平状に形成されているため、その封印部材８１に対する差込孔７１を有する封止部７０は、従来の封印用ボス部と封印用締着部とを封印ネジによって封印する構造と比べ、ベース体２０の側壁２２の外側面からの封止部７０の突出量を小さくすることが可能となり、その分だけ収納ボックス１０の大型化を抑制することができ、収納ボックス１０の配置スペースの確保が容易となる。
【００３０】
なお、前記実施の形態２においては、蓋体３０の側壁３２の外側面に係止部９０を設け、ベース体２０の側壁２２の外側面に封止部７０を設けが、これとは逆に、ベース体２０の側壁２２の外側面に係止部９０を設け、蓋体３０の側壁３２の外側面に封止部７０を設けてもよい。
【００３１】
【発明の効果】
以上述べたように、この発明によれば、ベース体と蓋体との間に跨る封印部材の先端部を封止部に差し込むという、極めて簡単な操作によって、ベース体に対し蓋体を封印することができるため、封印作業の簡略化を図ることができる。
【図面の簡単な説明】
【図１】この発明の実施の形態１に係る遊技機の制御ボックス装置全体を示す正面図である。
【図２】同じく図１のＩＩ−ＩＩ線に基づく遊技機の制御ボックス装置の封印手段を示す断面図である。
【図３】同じく封印手段の封印部材と封止部との関係を拡大して示す断面図である。
【図４】同じく封印手段を示す正面図である。
【図５】同じく１つの固定部の一側から複数の封印部材が切り離し可能に延出された状態を示す正面図である。
【図６】同じく固定部から切り離し可能に連結された複数の封印部材がケース体に収納された状態を示す正面図である。
【図７】同じく図６のＶＩＩ−ＶＩＩ線に基づく断面図である。
【図８】同じく遊技機の制御ボックス装置の封印手段の他の実施態様を示す断面図である。
【図９】同じく他の実施態様の封印手段の封印部材と封止部との関係を拡大して示す断面図である。
【図１０】この発明の実施の形態２に係る遊技機の制御ボックス装置の封印手段を示す断面図である。
【図１１】同じく封印手段の正面図である。
【図１２】同じく封印部材を示す斜視図である。
【図１３】従来の遊技機の制御ボックス装置の封印手段を示す断面図である。
【図１４】同じく従来の封印手段を示す平面図である。
【符号の説明】
１０  収納ボックス
１１  制御基板
２０  ベース体
３０  蓋体
４０  封印手段
４１、８１  封印部材
４３、８３  根元部
４４、８４  係合部
【図１】
0004247355.tif 000002
【図２】
0004247355.tif 000003
【図３】
0004247355.tif 000004
【図４】
0004247355.tif 000005
【図５】
0004247355.tif 000006
【図６】
0004247355.tif 000007
【図７】
0004247355.tif 000008
【図８】
0004247355.tif 000009
【図９】
0004247355.tif 000010
【図１０】
0004247355.tif 000011
【図１１】
0004247355.tif 000012
【図１２】
0004247355.tif 000013
【図１３】
0004247355.tif 000014
【図１４】
0004247355.tif 000015